(57)【特許請求の範囲】
【請求項１】
シート基材面の所定部に、秘匿情報と該情報を被覆するスクラッチ除去可能な被覆層が設けられてなるシートであって、
前記秘匿情報が、酸素の有無に伴って可逆的に色調変化を起こす可変色色素組成物を用いて形成され、さらに、前記被覆層が酸素不透過性の透明フィルムから形成され、かつ、前記秘匿情報を形成する可変色色素組成物が無酸素状態における色調を呈していることを特徴とするスクラッチシート。
【請求項２】
前記秘匿情報の背景部をさらに設けてなり、前記可変色色素組成物の無酸素状態における色調と、前記背景部の色調が略同一であることを特徴とする請求項１記載のスクラッチシート。
【発明の詳細な説明】
【０００１】
【発明の属する技術分野】
本発明は、シート面に施された秘匿情報上にスクラッチ除去可能な被覆層を設けて、隠蔽操作を施してなるスクラッチシートに関する。より具体的には、スクラッチ除去可能な被覆層に透明フィルムを用いるものの、隠蔽すべきシート面に施された秘匿情報をその表面からは判別できないようにしたスクラッチシートに関する。
【０００２】
【従来の技術】
種々の帳票類において、その表面に記されている文字情報を一時的に隠蔽する手段として、不透明なシール材、例えば、黒色シールを貼り、隠蔽を行う方法がある。個人に関する情報を含む通知、例えば、住所変更届を封書でなく、専用の返信葉書で通知する際など、かかる個人情報を不特定の第三者が判読できないように、後で剥がすことが可能なシール材で覆う方式が利用されている。
【０００３】
同じような目的で、一時的に情報を判読不能な状態に置くため、不透明色、例えば、銀色のスクラッチインキで覆う方法もある。このスクラッチインキを塗布する方法は、多量の印刷物に対しても利用可能で、簡便な隠蔽手段として広く利用されている。これは、銀色のスクラッチインキを硬貨などで削り取り、中に印刷された情報を明らかにできるため、スクラッチくじなどに利用されている。
【０００４】
従来のスクラッチシートに使用されているスクラッチインキは、それが塗布されている範囲の下に記された情報を隠蔽する必要性から、不透明性が高い、銀色のスクラッチインキが利用されている。これら従来のスクラッチシートでは、予め所定のデザインを印刷したシート基材を用い、秘匿情報を所定の空白枠内に印刷の上、この所定の空白枠を覆うようにスクラッチインキのベタ印刷がなされる。かかる空白枠は、その中に印刷される文字情報などの大きさと比較し、十分に広い、少なくとも二倍を超える大きさとされることが一般である。
【０００５】
【発明が解決しようとする課題】
このように、秘匿情報の大きさと比較し、不透明なスクラッチインキのベタ印刷により隠される領域の径（一辺）が通常二倍以上も大きいが、その内、秘匿情報自体の範囲を超える領域は必ずしも不透明である必要はなく、表面から下のシート基材上に印刷されている所定のデザインを見ることができる構成とすることが望まれる。可能であれば、前記のスクラッチインキの被覆層自体は透明性を有するが、その下に記されている秘匿情報自体は、実質的に隠蔽がなされているようなスクラッチシートの開発が望まれている。
【０００６】
本発明は前記の課題を解決するもので、本発明の目的は、スクラッチ除去可能な被覆層に透明フィルムを用いるものの、秘匿情報をその表面からは視認できないような方法を採用した新規構成のスクラッチシートを提供することにある。より具体的には、スクラッチ除去可能な被覆層に透明フィルムを用いるものの、被覆層で覆われた状態では、秘匿情報は、その形状を判別できないような色調を示すが、被覆層をスクラッチ除去した際には、その形状が明確に判別できる色調を示す新規構成のスクラッチシートを提供することにある。
【０００７】
【課題を解決するための手段】
本発明者は、上記の課題を解決すべく鋭意検討したところ、酸素の有無により、その呈する色調が明確に変化する可変色色素組成物と、これを無酸素状態に置くことができる酸素不透過性の被覆層を利用することを想到した。具体的には、例えば、文字や図柄などからなる秘匿情報を、無酸素状態で白色ないし無色の色調を呈し、有酸素状態で有色の色調を呈する可変色色素組成物を用いて形成したり、あるいは、この無酸素状態における色調と同一の色調に彩色された秘匿情報の背景部を描き、この背景部と秘匿情報の境界を視認困難とさせ、有酸素状態にして前記可変色色素組成物が呈する色調を変えることで、秘匿情報を視認可能とすることができることに着目した。そして、さらに検討を加え、被覆層をスクラッチ除去可能な酸素不透過性の透明フィルムとすることにより、本発明を現実のものとすることができた。
【０００８】
すなわち、本発明のスクラッチシートは、シート基材面の所定部に、秘匿情報と該情報を被覆するスクラッチ除去可能な被覆層が設けられてなるシートであって、前記秘匿情報が、酸素の有無に伴って可逆的に色調変化を起こす可変色色素組成物を用いて形成され、さらに、前記被覆層が酸素不透過性の透明フィルムから形成され、かつ、前記秘匿情報を形成する可変色色素組成物が無酸素状態における色調を呈していることを特徴とする。
【０００９】
また、本発明のスクラッチシートは、前記秘匿情報の背景部をさらに設けてなり、前記可変色色素組成物の無酸素状態における色調と、前記背景部の色調が略同一であることを特徴とする。
【００１０】
本発明は、このような構成により、スクラッチ除去可能な被覆層自体が、酸素不透過性の透明フィルムからなるため、下のデザインを隠すことなく、全体のデザインを被覆層の存在を考慮することなく、より任意に選択することが可能となる利点を有する。特に、透明フィルムによる被覆層を利用するため、かかる透明フィルム層下の相当部分も説明等の記載に利用でき、物理的な制約が大幅に緩和される。さらには、スクラッチシート全体の美観的な観点においても、デザインを束縛しないなどといった利点が多い。
【００１１】
以下に、本発明のスクラッチシートに関して、より詳細に説明する。
本発明のスクラッチシートにおいて、秘匿情報は酸素の有無に伴い、可逆的に色調変化を起こす可変色色素組成物を用いて形成されるが、かかる可変色色素組成物としては、通常の大気中に含有される程度の酸素濃度を有する雰囲気と無酸素状態の雰囲気において、その呈する色調が明確に変化し、また、この酸素の有無による色調変化が可逆的である限り、どのような可変色色素組成物も利用が可能であるが、好ましくは、従来、密封包装内の無酸素状態の確認に利用されている、いわゆる「酸素インジケーター」に利用される可変色色素組成物を利用するのが良い。一般的に、酸素インジケーターは、酸化還元性色素とそれに対する還元剤、さらに、アルカリ性物質と水とを含んでなる。なお、この酸素インジケーターはインキ状に調製され、その印刷面、印刷方法に応じて、水性インキまたは油性インキに調製する。
【００１２】
可変色色素組成物においては、酸素濃度に伴って、可逆的な色調の変化が起こるが、その主体は、酸素濃度が高い環境では、酸化還元性色素が酸化を受けた状態であるが、無酸素状態に置くと、一旦酸素により酸化を受けた状態から共存する還元剤の作用により還元された状態となる。この酸化・還元は可逆的であり、共存する還元剤が消費され、枯渇するまでの間はその可逆性は持続する。アルカリ性物質と水とは前記の酸化・還元反応の場を形成し、その反応に伴う、色調変化を誘起するためのｐＨ域の維持にも利用されている。
【００１３】
また、酸化還元性色素としては、特公昭５５−４７８２０号公報、特公昭５６−２４９０６号公報、特開昭５６−８６４７号公報などに記載される、メチレンブルーなどのチアジン系色素、インジコスルホン酸カリウムなどのインジコ系色素、チオインジゴ系色素など、さらには、特開平２−１３８８６６号公報に記載されるインドフェノール系色素などが利用可能である。特に、このインドフェノール系色素は、光照射下に長期に放置された際にも、その退色の程度はメチレンブルー系色素と比較すると大幅に少なく、より好ましいものである。かかる酸化還元性色素の酸化体を還元する際に利用される還元剤としては、グルコース、フラクトース、キシロース、マルトースなどの還元性糖類を利用することが好ましい。なお、前記還元性糖類による還元はアルカリ性条件下で進行するため、例えば、水酸化マグネシウムなどのアルカリ性物質と若干量の水を必要とする。
【００１４】
ここに、下記の如く、メチレンブルー系色素を利用した可変色色素組成物の一例を示すが、酸化還元性色素であるメチレンブルーと、その還元剤として、還元性糖類のＤ−グルコースを用い、アルカリ性物質としては、潮解性や高い吸水性などの性質を有さない水酸化マグネシウムを選択し、これに必要な水を加えた組成とした。
【００１５】
〔メチレンブルー系色素を利用した可変色色素組成物の一例〕
水酸化マグネシウム       ９６.９５質量部
Ｄ−グルコース               １.０質量部
メチレンブルー             ０.０５質量部
水                           ２.０質量部
【００１６】
さらに、下記の如く、インドフェノール系色素を利用した可変色色素組成物の一例を示す。酸化還元性色素である２，６−ジクロルインドフェノール・ナトリウム塩と、その還元剤として還元性糖類のＤ−グルコースを用い、アルカリ性物質としては炭酸ナトリウムを加え、これに必要な水を加えた組成とした。また、この例では、全体を溶液とするため、メチルアルコールを溶媒として加えてある。なお、２，６−ジクロルインドフェノール・ナトリウム塩自体は、無酸素状態では、ほぼ無色（白色）となるため、アシッドレッド（食用赤色１０６号）を指示色素として添加することにより、無酸素状態では赤色の色調、一方、有酸素状態では青色の色調を呈する。
【００１７】
〔インドフェノール系色素を利用した可変色色素組成物の一例〕
２，６−ジクロルインドフェノールナトリウム塩        ０.５質量部
アシッドレッド（食用赤色１０６号）                  ０.１質量部
炭酸ナトリウム                                    ２５.０質量部
Ｄ−グルコース                                      ２.０質量部
水                                                  ２.０質量部
メチルアルコール                                  ７０.４質量部
【００１８】
また、このような可変色色素組成物は、好ましくはインキ組成物として調製されるが、スクリーン印刷あるいはフレキソ印刷により、シート基材面に所定の色調を有した秘匿情報を形成する。このようなインキ組成物は、印刷されるシート面の状態、インキとの濡れ性なども考慮し、それぞれの印刷方法に合わせて適宜調製されるものである。そして、ここに、利用可能なインキの組成を下記に示す如くの４例を例示する。なお、本発明のスクラッチシートにおいては、ここに例示するものには限られないことは勿論である。
【００１９】
〔可変色色素組成物を含有してなるインキの組成例（１）〕
可変色色素組成物                                    ３５質量部
エチルヒドロキシエチルセルロース（ＥＨＥＣ）          ５質量部
ロジンのペンタエリスリトールエステル                １０質量部
ミネラルスピリット                                  ２０質量部
芳香族炭化水素溶剤                                  ２０質量部
セロソルブ                                          １０質量部
【００２０】
〔可変色色素組成物を含有してなるインキの組成例（２）〕
可変色色素組成物                                  ３６.５質量部
スチレン化アルキド樹脂                            ４５.０質量部
ナフテン酸コバルトドライヤー                        １.０質量部
芳香族炭化水素溶剤                                １５.０質量部
ゲル化剤                                            ２.５質量部
【００２１】
〔可変色色素組成物を含有してなるインキの組成例（３）〕
可変色色素組成物                                  １８.５質量部
高酸価マレイン酸樹脂                              １７.５質量部
イソプロピルアルコール                            １３.０質量部
水                                                ４３.５質量部
尿素                                                １.０質量部
ジメチルエタノールアミン                            ４.０質量部
ポリエチレンワックス                                ２.０質量部
消泡剤                                              ０.５質量部
【００２２】
〔可変色色素組成物を含有してなるインキの組成例（４）〕
可変色色素組成物                                  １４.０質量部
高酸価マレイン酸樹脂                                ５.０質量部
スチレンアクリルエマルジョン                      ３０.０質量部
イソプロピルアルコール                            １０.０質量部
水                                                  １.０質量部
尿素                                              ３５.５質量部
２８％アンモニア水                                  １.０質量部
モルホリン                                          １.０質量部
ポリエチレンワックス                                ２.０質量部
消泡剤                                              ０.５質量部
【００２３】
次に、酸素不透過性の透明フィルムとしては、例えば、ポリ塩化ビニリデンフィルム、二軸延伸ポリ塩化ビニリデン系フィルム、アクリルニトリル系フィルム、ポリカーボネート系フィルム、セラミック蒸着ポリエチレン・テレフタレートフィルム、二軸延伸ポリビニルアルコールフィルム、エチレン・ビニルアルコール共重合体フィルム、ナイロンフィルム、ポリビニルアルコールフィルムなどが挙げられる。そして、目的とするシート基材の厚さや柔軟性、あるいは表面の光沢性などを考慮し、適宜選択される。この透明フィルムをシート基材と密着させることにより、その被覆された領域が無酸素状態となり、当該被覆された領域の秘匿情報の色調が、その無酸素状態における色調を呈する。
【００２４】
なお、前記酸素不透過性の透明フィルムを被覆する領域を無酸素状態とするためには、シート基材自体も酸素透過性を持たないか、極めて低い材料を使用する必要があるが、透過性が高いものを使用する場合は、酸素透過性を無くす表面処理を施して使用すればよい。
【００２５】
さらに、被覆層は前記透明フィルムを利用することもできるが、シルクスクリーン印刷・塗布可能な透明樹脂を利用した透明フィルムとすることもできる。この透明樹脂とは、例えば、ゴム系樹脂３０質量部、顔料２０質量部に、適量の石油系溶剤を加え、混練したものなどを利用できる。特に、被覆層自体を無色透明とする場合、スクラッチすべき部位を明記する必要はあるものの、秘匿情報が設けられた領域のみでなく、更に広い範囲に被覆層を設けることができる。なお、被覆層は酸素の透過性のない無色高分子材料などを用いて酸素の流入を防止し、酸素遮断、無酸素状態に維持する機能を有するが、加えて、脱酸素機能をも付加してもよい。すなわち、脱酸素機能をも付加したフィルムは、貼付けの間隙を介して、微量な酸素浸透があった際にも安定して無酸素状態に維持する。
【００２６】
【発明の実施の形態】
以下、本発明のスクラッチシートを「スピードくじ」として構成した実施例を挙げ、本発明をより具体的に説明する。ここにおいて、図１は本発明スクラッチシートの第１実施例の概略的平面図、図２は図１におけるＡ−Ａ線断面図、図３はスクラッチ時における図１のスクラッチシートの状態説明図、図４は本発明スクラッチシートの第２実施例の概略的平面図、図５は図４におけるＡ−Ａ線断面図、図６はスクラッチ時における図４のスクラッチシートの状態説明図である。なお、各実施例の図面における符号は、各実施例共通のものとする。
【００２７】
図１に示すように、本実施例のスクラッチシート１は、そのシート基材２面の所定部に、説明事項や全体の装飾を目的とするデザイン化された図形・模様などの所定の印刷６が施され、さらに、酸素の有無に伴って可逆的に色調が変化する可変色色素組成物を含有してなるインキをもって秘匿情報３（１，★，×）が施されている。そして、この秘匿情報３は、図２に示すように、矩形の酸素不透過性の透明フィルム４によって無酸素状態となるように被覆され、当該被覆された領域の前記可変色色素組成物の色調は白色を呈している。
【００２８】
なお、本実施例における可変色色素組成物を含有してなるインキは、前述の〔可変色色素組成物を含有してなるインキの組成例（１）〕のものを利用し、その可変色色素組成物は前述の２，６−ジクロルインドフェノールナトリウム塩を用いたものを利用したが、有色の色素を添加せずに白色を呈するものとした。
また、酸素不透過性の透明フィルム４としては、二軸延伸フィルム（クラレ社製  エバールEF−XL／１５μｍを用い、さらに、シート基材２は、表面にロールコート・ニスインキをコート層として設け、酸素の侵入を防止するように加工した上質紙とした。
【００２９】
このように、本実施例では、秘匿情報３がシート基材２面と同色の白色で形成されているため、酸素不透過性の透明フィルム４にて無酸素状態で被覆された状態では、視認することが困難となる。しかし、この透明フィルム４をスクラッチ除去することにより、図３に示すように、秘匿情報３は有酸素状態に曝され、可変色色素組成物の色調が白色から青色に変化して視認可能となる。
【００３０】
次に、本発明の第２実施例のスクラッチシートについて説明する。
本実施例のスクラッチシート１は、基本的には第１実施例と構成をほぼ同一にするが、図４および図５に示すように、秘匿情報３に背景部５を設けた点に特徴があり、その背景部５は秘匿情報３を形成する可変色色素組成物が無酸素状態で呈する色調と同一の色調を有する一般インキをもって地紋印刷されており、両者の判別ができない状態にある。
なお、本実施例における可変色色素組成物を含有してなるインキは、第１実施例と同様の〔可変色色素組成物を含有してなるインキの組成例（１）〕のものを利用するが、第１実施例とは異なり、赤色の色素（アシッドレッド）を添加したものを利用し、無酸素状態で赤色、有酸素状態で青色を呈するようにしている。また、背景部５は本実施例における地紋状印刷の他、両者の判別を困難とさせる限りにおいて、ベタ印刷や網点印刷などであっても構わない。
【００３１】
このように、本実施例では、無酸素状態においては、秘匿情報３と背景部５の何れの色調も赤色を呈することにより、酸素不透過性の透明フィルム４によって無酸素状態となるように被覆された状態では、秘匿情報３と背景部５の区別が困難となり、秘匿情報３を視認することができない。しかし、この透明フィルム４をスクラッチ除去することにより、秘匿情報３は有酸素状態に曝され、図６に示すように、可変色色素組成物の色調が赤色から青色に変化し、背景部５とは異なる色調を呈するため、視認可能となる。
【００３２】
【発明の効果】
以上、述べた如く、本発明のスクラッチシートは、スクラッチ除去可能な被覆層が酸素不透過性の透明フィルムからなるため、下の印刷面を隠すことなく、全体のデザインを被覆層の存在を考慮することなく、より任意に選択することが可能となる利点を有する。特に、被覆層を複数設ける際、従来では、スクラッチインキの塗布領域が占める割合が増し、空き部分に記載する説明等に物理的な制約となっていたが、本発明では、透明フィルムによる被覆層を利用するため、かかる透明フィルム層下の相当部分も説明等の記載に利用でき、物理的な制約が大幅に緩和される。さらには、スクラッチシート全体の美観的な観点においても、デザインを束縛しないなど、多大な効果を持つ。
【図面の簡単な説明】
【図１】本発明スクラッチシートの第１実施例の概略的平面図。
【図２】図１におけるＡ−Ａ線断面図。
【図３】スクラッチ時における図１のスクラッチシートの状態説明図。
【図４】本発明スクラッチシートの第２実施例の概略的平面図。
【図５】図４におけるＡ−Ａ線断面図。
【図６】スクラッチ時における図４のスクラッチシートの状態説明図。
【符号の説明】
１  スクラッチシート
２  シート基材
３  秘匿情報
４  酸素不透過性の透明フィルム
５  背景部
６  所定の印刷
【図１】
0004406502.tif 000002
【図２】
0004406502.tif 000003
【図３】
0004406502.tif 000004
【図４】
0004406502.tif 000005
【図５】
0004406502.tif 000006
【図６】
0004406502.tif 000007